【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
タンパク質またはペプチドの検出方法であって、
該タンパク質またはペプチドと、生体分子にコンジュゲートさせたポリマードットを含む溶液とを接触させることであって、該ポリマードットが半導体ポリマーを含む、こと；および
該ポリマードットからの少なくとも１つのシグナルを検出することであって、該少なくとも１つのシグナルは該タンパク質またはペプチドに対応している、こと
を含む、方法。
【請求項２】
クロマトグラフィー法、濾過法、キャピラリー電気泳動法、ゲル電気泳動法、液体抽出法、沈殿法、免疫沈降法またはこれらの組合せをさらに含む、請求項１に記載の方法。
【請求項３】
前記ポリマードットが、非半導体ポリマーをさらに含む、請求項１または２に記載の方法。
【請求項４】
前記ポリマードットが、フルオレンポリマー、フルオレンベースのポリマーもしくはコポリマー、フェニレンビニレンベースのポリマーもしくはコポリマー、フェニレンエチニレンベースのポリマーもしくはコポリマー、またはＢＯＤＩＰＹベースのポリマーもしくはコポリマーを含む、請求項１〜３のいずれか１項に記載の方法。
【請求項５】
前記ポリマードットが、前記ポリマードットに結合した官能基を含む、請求項１〜４のいずれか１項に記載の方法。
【請求項６】
前記官能基が、アルデヒド、アルケン、アルキル、アルキン、歪みアルキン、アミノ、アジド、カルボニル、カルボキシル、シアノ、シクロオクチン、ジエノ、エステル、スクシンイミジルエステル、ハロアルキル、ヒドロキシル、イミド、ケトン、マレイミド、メルカプト、ホスフェート、ホスフィン、スルフェート、スルホネートまたはこれらの組合せから選択される、請求項５に記載の方法。
【請求項７】
前記生体分子が、タンパク質、核酸、ペプチド、または脂質である、請求項１〜６のいずれか１項に記載の方法。
【請求項８】
前記生体分子が、一次抗体、二次抗体、ストレプトアビジン、またはアビジンである、請求項７に記載の方法。
【請求項９】
タンパク質またはペプチドを検出するためのキットであって、該キットが複数のポリマードットとブロッキング剤とを含み、各ポリマードットが半導体ポリマーと該ポリマードットに結合した官能基とを含む、キット。
【請求項１０】
前記各ポリマードットが非半導体ポリマーをさらに含む、請求項９に記載のキット。
【請求項１１】
各ポリマードットが、フルオレンポリマー、フルオレンベースのポリマーもしくはコポリマー、フェニレンビニレンベースのポリマーもしくはコポリマー、フェニレンエチニレンベースのポリマーもしくはコポリマー、またはＢＯＤＩＰＹベースのポリマーもしくはコポリマーを含む、請求項９または１０に記載のキット。
【請求項１２】
前記官能基がバイオコンジュゲーションに適したものである、請求項９〜１１のいずれか１項に記載のキット。
【請求項１３】
前記官能基が、アルデヒド、アルケン、アルキル、アルキン、歪みアルキン、アミノ、アジド、カルボニル、カルボキシル、シアノ、シクロオクチン、ジエノ、エステル、スクシンイミジルエステル、ハロアルキル、ヒドロキシル、イミド、ケトン、マレイミド、メルカプト、ホスフェート、ホスフィン、スルフェート、スルホネートまたはこれらの組合せである、請求項９〜１２のいずれか１項に記載のキット。
【請求項１４】
前記各ポリマードットを生体分子にコンジュゲートさせるための試薬をさらに含む、請求項９〜１３のいずれか１項に記載のキット。
【請求項１５】
生体分子をさらに含む、請求項９〜１４のいずれか１項に記載のキット。
【請求項１６】
前記各ポリマードットが前記生体分子とコンジュゲートしている、請求項１５に記載のキット。
【請求項１７】
前記生体分子が、タンパク質、核酸、ペプチド、または脂質である、請求項１５または１６に記載のキット。
【請求項１８】
前記生体分子が、一次抗体、二次抗体、ストレプトアビジン、またはアビジンである、請求項１７に記載のキット。
【請求項１９】
前記ブロッキング剤が、前記複数のポリマードットと、表面上または膜上への吸着に関して競合する、請求項９〜１８のいずれか１項に記載のキット。
【請求項２０】
前記ブロッキング剤が、前記複数のポリマードットと、１種類以上の生体分子の結合に関して競合する、請求項９〜１９のいずれか１項に記載のキット。
【請求項２１】
膜をさらに含み、該膜がニトロセルロース膜またはフルオロポリマー膜である、請求項９〜２０のいずれか１項に記載のキット。
【請求項２２】
タンパク質またはペプチドをアッセイするためのシステムであって、
生体分子にコンジュゲートさせたポリマードットであって、半導体ポリマーを含む、ポリマードット；
電磁放射線源；
検出器；および
実行可能命令が格納されたメモリデバイスを備えたコンピュータであって、該命令は、プロセッサによって実行される場合、該プロセッサに：
該検出器を動作させて画像を取得すること、
該画像を格納すること、および
該画像を解析すること
をさせる、コンピュータ
を備えた、システム。
【請求項２３】
タンパク質またはペプチド分離プラットフォームをさらに含み、該タンパク質またはペプチド分離プラットフォームが、ゲル分離プラットフォームまたはキャピラリー電気泳動分離プラットフォームを含む、請求項２２に記載のシステム。
【手続補正２】
【補正対象書類名】明細書
【補正対象項目名】００１２
【補正方法】変更
【補正の内容】
【００１２】
種々の態様において、本開示により、生体分子にコンジュゲートさせたポリマードット；ゲル；電気泳動プラットフォーム；電磁放射線源；検出器；および実行可能命令が格納されたメモリデバイスを備えたコンピュータ（該命令は、プロセッサによって実行される場合、該プロセッサに：該検出器を動作させて画像を取得すること、該画像を格納すること、および該画像を解析することをさせる）を備えた、ウェスタンブロット解析を行なうためのシステムを提供する。
本発明は、例えば、以下の項目を提供する。
（項目１）
ゲルを用いてタンパク質を分離すること；
分離された該タンパク質を膜に転写すること；
分離された該タンパク質を有する該膜を、分離された該タンパク質の少なくとも一部に特異的な生体分子にコンジュゲートさせたポリマードットを含む溶液と接触させること；および
該ポリマードットからの少なくとも１つのシグナルを検出することであって、該少なくとも１つのシグナルは分離された該タンパク質に対応している、こと
を含む、ウェスタンブロット解析の実施方法。
（項目２）
混合物からタンパク質またはペプチドを分離すること；
分離された該タンパク質またはペプチドを、分離された該タンパク質またはペプチドの少なくとも一部に特異的な生体分子にコンジュゲートさせたポリマードットを含む溶液と接触させること；および
該ポリマードットからの少なくとも１つのシグナルを検出することであって、該少なくとも１つのシグナルは分離された該タンパク質またはペプチドに対応している、こと
を含む、タンパク質またはペプチドの検出方法。
（項目３）
さらに前記タンパク質またはペプチドを定量することを含む、項目２に記載の方法。
（項目４）
前記タンパク質またはペプチドの分離が、クロマトグラフィー法、濾過法、キャピラリー電気泳動法、ゲル電気泳動法、液体抽出法、沈殿法、免疫沈降法またはこれらの組合せを含む、項目２または３に記載の方法。
（項目５）
前記ポリマードットが、半導体ポリマー、非半導体ポリマーまたはこれらの組合せから選択されるポリマーを含むものである、項目１〜４のいずれか１項に記載の方法。
（項目６）
前記ポリマードットがＢＯＤＩＰＹ誘導体を含むものである、項目１〜５のいずれか１項に記載の方法。
（項目７）
前記ＢＯＤＩＰＹ誘導体が、式（Ｉ）：
【化１２】
2016510115.tif 000001
（式中、Ｒ１、Ｒ２Ａ、Ｒ２Ｂ、Ｒ３Ａ、Ｒ４ＡおよびＲ４Ｂは各々、独立して、水素、アルキル、アラルキル、アリールおよびアルコキシ−アリールから選択される）の構造を有し、ここで、前記ＢＯＤＩＰＹ誘導体は発色団ポリマーに、Ｒ１、Ｒ２Ａ、Ｒ２Ｂ、Ｒ３Ａ、Ｒ４ＡおよびＲ４Ｂまたはこれらの組合せとの結合によって一体化される、項目６に記載の方法。
（項目８）
前記ポリマードットが、ポリ（（メタ）アクリル酸）ベースのポリマー、ポリジエンベースのポリマー、ポリ（エチレンオキシド）ベースのポリマー、ポリイソブチレンベースのポリマー、ポリスチレンベースのポリマー、ポリシロキサンベースのポリマー、ポリ（フェロセニルジメチルシラン）ベースのポリマー、ポリ（２−ビニルナフタレン）ベースのポリマー、ポリ（ビニルピリジン）ベースのポリマー、ポリ（Ｎ−メチルビニルピリジニウムヨージド）ベースのポリマーまたはポリ（ビニルピロリドン）ベースのポリマーから選択されるポリマーを含むものである、項目１〜５のいずれか１項に記載の方法。
（項目９）
前記ポリマードットが、ポリ（アクリル酸−ｂ−アクリルアミド）、ポリ（アクリル酸−ｂ−メタクリル酸メチル）、ポリ（アクリル酸−ｂ−Ｎ−イソプロピルアクリルアミド）、ポリ（ｎ−ブチルアクリレート−ｂ−アクリル酸）、ポリ（アクリル酸ナトリウム−ｂ−メタクリル酸メチル）、ポリ（メタクリル酸−ｂ−メタクリル酸ネオペンチル）、ポリ（メタクリル酸メチル−ｂ−アクリル酸）、ポリ（メタクリル酸メチル−ｂ−メタクリル酸）、ポリ（メタクリル酸メチル−ｂ−Ｎ，Ｎ−ジメチルアクリルアミド）、ポリ（メタクリル酸メチル−ｂ−アクリル酸ナトリウム）、ポリ（メタクリル酸メチル−ｂ−メタクリル酸ナトリウム）、ポリ（メタクリル酸ネオペンチル−ｂ−メタクリル酸）、ポリ（メタクリル酸ｔ−ブチル−ｂ−エチレンオキシド）、ポリ（２−アクリルアミド−２−メチルプロパンスルホン酸−ｂ−アクリル酸）、ポリ（ブタジエン（１，２付加）−ｂ−エチレンオキシド）、ポリ（ブタジエン（１，２付加）−ｂ−メチルアクリル酸、ポリ（ブタジエン（１，４付加）−ｂ−アクリル酸）、ポリ（ブタジエン（１，４付加）−ｂ−エチレンオキシド、ポリ（ブタジエン（１，４付加）−ｂ−アクリル酸ナトリウム）、ポリ（ブタジエン（１，４付加）−ｂ−Ｎ−メチル  ４−ビニルピリジニウムヨージド）、ポリ（イソプレン−ｂ−エチレンオキシド）、ポリ（イソプレン−ｂ−エチレンオキシド）およびポリ（イソプレン−ｂ−Ｎ−メチル２−ビニルピリジニウムヨージド）、ポリ（エチレンオキシド−ｂ−アクリル酸）、ポリ（エチレンオキシド−ｂ−アクリルアミド）、ポリ（エチレンオキシド−ｂ−ブチレンオキシド）、ポリ（エチレンオキシド−ｂ−ｃ−カプロラクトン）、ポリ（エチレンオキシド−ｂ−ラクチド）、ポリ（エチレンオキシド−ｂ−ラクチド）、ポリ（エチレンオキシド−ｂ−メタクリル酸）、ポリ（エチレンオキシド−ｂ−アクリル酸メチル）、ポリ（エチレンオキシド−ｂ−Ｎ−イソプロピルアクリルアミド）、ポリ（エチレンオキシド−ｂ−メタクリル酸メチル）、ポリ（エチレンオキシド−ｂ−メタクリル酸ニトロベンジル）、ポリ（エチレンオキシド−ｂ−Ｎ，Ｎ−ジメチルアミノエチルメタクリレート）、ポリ（エチレンオキシド−ｂ−プロピレンオキシド）、ポリ（エチレンオキシド−ｂ−アクリル酸ｔ−ブチル）、ポリ（エチレンオキシド−ｂ−メタクリル酸ｔ−ブチル）、ポリ（エチレンオキシド−ｂ−メタクリル酸テトラヒドロフルフリル）、ポリ（エチレンオキシド−ｂ−２−エチルオキサゾリン）、ポリ（エチレンオキシド−ｂ−メタクリル酸２−ヒドロキシエチル）、ポリ（エチレンオキシド−ｂ−２−メチルオキサゾリン）、ポリ（イソブチレン−ｂ−アクリル酸）、ポリ（イソブチレン−ｂ−エチレンオキシド）、ポリ（イソブチレン−ｂ−メタクリル酸）、ポリ（スチレン−ｂ−アクリルアミド）、ポリ（スチレン−ｂ−アクリル酸）、ポリ（スチレン−ｂ−アクリル酸セシウム）、ポリ（スチレン−ｂ−エチレンオキシド）、ブロック接合部で切断可能なポリ（スチレン−ｂ−エチレンオキシド）酸、ポリ（スチレン−ｂ−メタクリル酸）、ポリ（４−スチレンスルホン酸−ｂ−エチレンオキシド）、ポリ（スチレンスルホン酸−ｂ−���チルブチレン）、ポリ（スチレン−ｂ−Ｎ，Ｎ−ジメチルアクリルアミド）、ポリ（スチレン−ｂ−Ｎ−イソプロピルアクリルアミド）、ポリ（スチレン−ｂ−Ｎ−メチル２−ビニルピリジニウムヨージド）、ポリ（スチレン−ｂ−Ｎ−メチル−４−ビニルピリジニウムヨージド）、ポリ（スチレン−ｂ−プロピルアクリル酸）、ポリ（スチレン−ｂ−アクリル酸ナトリウム）ポリ（スチレン−ｂ−メタクリル酸ナトリウム）、ポリｐ−クロロメチルスチレン−ｂ−アクリルアミド）、ポリ（スチレン−コ−ｐ−クロロメチルスチレン−ｂ−アクリルアミド）、ポリ（スチレン−コ−ｐ−クロロメチルスチレン−ｂ−アクリル酸）、ポリ（スチレン−ｂ−メチルブチレン−コ−イソプレンスルホン酸）、ポリ（ジメチルシロキサン−ｂ−アクリル酸）、ポリ（ジメチルシロキサン−ｂ−エチレンオキシド）、ポリ（ジメチルシロキサン−ｂ−メタクリル酸）、ポリ（フェロセニルジメチルシラン−ｂ−エチレンオキシド）、ポリ（２−ビニルナフタレン−ｂ−アクリル酸）、ポリ（２−ビニルピリジン−ｂ−エチレンオキシド）、ポリ（２−ビニルピリジン−ｂ−メチルアクリル酸）、ポリ（Ｎ−メチル２−ビニルピリジニウムヨージド−ｂ−エチレンオキシド）、ポリ（Ｎ−メチル  ４−ビニルピリジニウムヨージド−ｂ−メタクリル酸メチル）、ポリ（４−ビニルピリジン−ｂ−エチレンオキシド）、ポリ（ビニルピロリドン−ｂ−Ｄ／Ｌ−ラクチド）、ＰＤＨＦ、ＰＦＯ、ＰＦＰＶ、ＰＦＢＴ、ＰＦＴＢＴ、ＭＥＨ−ＰＰＶ、ＣＮ−ＰＰＶ、ＰＰＥまたはこれらの組合せから選択されるポリマーを含むものである、項目１〜５のいずれか１項に記載の方法。
（項目１０）
前記ポリマードットが高分子電解質コーティングに囲まれている、項目１〜９のいずれか１項に記載の方法。
（項目１１）
前記高分子電解質コーティングが、ポリ（スチレンスルホネート）、ポリホスフェート、ポリアクリレート、ポリメタクリレート、ポリアクリレート−コ−マレエート、ポリアクリルアミド、キトサン、多糖、ポリリシン、ポリヒスチジンおよびポリペプチドからなる群より選択される高分子電解質を含むものである、項目１０に記載の方法。
（項目１２）
前記高分子電解質コーティングが高分子電解質ポリマーを含むものであり、該高分子電解質ポリマーの各反復単位が、カルボキシル、スルホネート、ホスフェート、アミノ、ヒドロキシルおよびメルカプトからなる群より選択される荷電基を含むものである、項目１０に記載の方法。
（項目１３）
前記ポリマードットが、前記ポリマードットに結合した官能基を含むものである、項目１〜１２のいずれか１項に記載の方法。
（項目１４）
前記官能基が、疎水性官能基、親水性官能基またはこれらの組合せから選択される、項目１３に記載の方法。
（項目１５）
前記官能基がバイオコンジュゲーションに適したものである、項目１３〜１４のいずれか１項に記載の方法。
（項目１６）
前記官能基が、アルデヒド、アルケン、アルキル、アルキン、歪みアルキン、アミノ、アジド、カルボニル、カルボキシル、シアノ、シクロオクチン、ジエノ、エステル、スクシンイミジルエステル、ハロアルキル、ヒドロキシル、イミド、ケトン、マレイミド、メルカプト、ホスフェート、ホスフィン、スルフェート、スルホネートまたはこれらの組合せから選択される、項目１３〜１５のいずれか１項に記載の方法。
（項目１７）
前記生体分子がタンパク質である、項目１〜１６のいずれか１項に記載の方法。
（項目１８）
前記生体分子が抗体またはアビジンである、項目１７に記載の方法。
（項目１９）
前記ゲルがポリアクリルアミド、アガロース、デンプンまたはこれらの組合せを含む、項目１および３〜１８のいずれか１項に記載の方法。
（項目２０）
前記分離がＳＤＳ−ＰＡＧＥ分離を含む、項目１〜１９のいずれか１項に記載の方法。
（項目２１）
前記膜がニトロセルロース膜またはフルオロポリマー膜を含む、項目１に記載の方法。
（項目２２）
前記フルオロポリマーがＰＶＤＦである、項目２１に記載の方法。
（項目２３）
前記検出が、ピコグラム量の分離された前記タンパク質の検出を含む、項目１〜２２のいずれか１項に記載の方法。
（項目２４）
前記検出が、２ピコグラム未満の分離された前記タンパク質の検出を含む、項目１〜２３のいずれか１項に記載の方法。
（項目２５）
さらに、電磁放射線源を用いて前記ポリマードットを励起させることを含む、項目１〜２４のいずれか１項に記載の方法。
（項目２６）
前記電磁放射線源がレーザー、ランプ、ＬＥＤまたはこれらの組合せを含む、項目２５に記載の方法。
（項目２７）
前記ポリマードットを励起させる前に、前記電磁放射線をスペクトルフィルター、マルチクロイックミラーまたはこれらの組合せに通す、項目２５〜２６のいずれか１項に記載の方法。
（項目２８）
試料を励起させる電磁放射線のピーク波長が約２００ｎｍ〜約３００ｎｍ、約２５０ｎｍ〜約３５０ｎｍ、約３００ｎｍ〜約４００ｎｍ、約３５０ｎｍ〜約４５０ｎｍ、約４００ｎｍ〜約５００ｎｍ、約４５０ｎｍ〜約５５０ｎｍ、約５００ｎｍ〜約６００ｎｍ、約５５０ｎｍ〜約６５０ｎｍ、約６００ｎｍ〜約７００ｎｍ、約６５０ｎｍ〜約７５０ｎｍ、約７００ｎｍ〜約８００ｎｍ、約７５０ｎｍ〜約８５０ｎｍ、約８００ｎｍ〜約９００ｎｍ、約８５０ｎｍ〜約９５０ｎｍ、または約９００ｎｍ〜約１０００ｎｍである、項目２５〜２７のいずれか１項に記載の方法。
（項目２９）
電磁放射線の２つ以上のピーク波長で前記試料を励起させる、項目２５〜２８のいずれか１項に記載の方法。
（項目３０）
ウェスタンブロット解析のためのコンジュゲート化したポリマードットを含む組成物。
（項目３１）
項目３０に記載の組成物を含むキット。
（項目３２）
ウェスタンブロット解析のためのコンジュゲート化したポリマードットおよび少なくとも１種類のブロッキング剤を含むキット。
（項目３３）
ポリマードット、コンジュゲーション生体分子およびブロッキング剤を含む、ウェスタンブロット解析を行なうためのキット。
（項目３４）
前記ポリマードットが半導体ポリマー、非半導体ポリマーまたはこれらの組合せから選択されるポリマーを含むものである、項目３１〜３３のいずれか１項に記載のキット。
（項目３５）
前記ポリマードットがＢＯＤＩＰＹ誘導体を含むものである、項目３１〜３４のいずれか１項に記載のキット。
（項目３６）
前記ＢＯＤＩＰＹ誘導体が、式（Ｉ）：
【化１３】
2016510115.tif 000002
（式中、Ｒ１、Ｒ２Ａ、Ｒ２Ｂ、Ｒ３Ａ、Ｒ４ＡおよびＲ４Ｂは各々、独立して、水素、アルキル、アラルキル、アリールおよびアルコキシ−アリールから選択される）
の構造を有し、ここで、前記ＢＯＤＩＰＹ誘導体は発色団ポリマーに、
Ｒ１、Ｒ２Ａ、Ｒ２Ｂ、Ｒ３Ａ、Ｒ４ＡおよびＲ４Ｂまたはこれらの組合せとの結合によって一体化される、項目３５に記載のキット。
（項目３７）
前記ポリマードットがＣＮ−ＰＰＶからなるポリマーを含むものである、項目３１〜３４のいずれか１項に記載のキット。
（項目３８）
前記ポリマードットが、ポリ（（メタ）アクリル酸）ベースのポリマー、ポリジエンベースのポリマー、ポリ（エチレンオキシド）ベースのポリマー、ポリイソブチレンベースのポリマー、ポリスチレンベースのポリマー、ポリシロキサンベースのポリマー、ポリ（フェロセニルジメチルシラン）ベースのポリマー、ポリ（２−ビニルナフタレン）ベースのポリマー、ポリ（ビニルピリジン）ベースのポリマー、ポリ（Ｎ−メチルビニルピリジニウムヨージド）ベースのポリマーまたはポリ（ビニルピロリドン）ベースのポリマーから選択されるポリマーを含むものである、項目３１〜３４のいずれか１項に記載のキット。
（項目３９）
前記ポリマードットが、ポリ（アクリル酸−ｂ−アクリルアミド）、ポリ（アクリル酸−ｂ−メタクリル酸メチル）、ポリ（アクリル酸−ｂ−Ｎ−イソプロピルアクリルアミド）、ポリ（ｎ−ブチルアクリレート−ｂ−アクリル酸）、ポリ（アクリル酸ナトリウム−ｂ−メタクリル酸メチル）、ポリ（メタクリル酸−ｂ−メタクリル酸ネオペンチル）、ポリ（メタクリル酸メチル−ｂ−アクリル酸）、ポリ（メタクリル酸メチル−ｂ−メタクリル酸）、ポリ（メタクリル酸メチル−ｂ−Ｎ，Ｎ−ジメチルアクリルアミド）、ポリ（メタクリル酸メチル−ｂ−アクリル酸ナトリウム）、ポリ（メタクリル酸メチル−ｂ−メタクリル酸ナトリウム）、ポリ（メタクリル酸ネオペンチル−ｂ−メタクリル酸）、ポリ（メタクリル酸ｔ−ブチル−ｂ−エチレンオキシド）、ポリ（２−アクリルアミド−２−メチルプロパンスルホン酸−ｂ−アクリル酸）、ポリ（ブタジエン（１，２付加）−ｂ−エチレンオキシド）、ポリ（ブタジエン（１，２付加）−ｂ−メチルアクリル酸、ポリ（ブタジエン（１，４付加）−ｂ−アクリル酸）、ポリ（ブタジエン（１，４付加）−ｂ−エチレンオキシド、ポリ（ブタジエン（１，４付加）−ｂ−アクリル酸ナトリウム）、ポリ（ブタジエン（１，４付加）−ｂ−Ｎ−メチル  ４−ビニルピリジニウムヨージド）、ポリ（イソプレン−ｂ−エチレンオキシド）、ポリ（イソプレン−ｂ−エチレンオキシド）およびポリ（イソプレン−ｂ−Ｎ−メチル２−ビニルピリジニウムヨージド）、ポリ（エチレンオキシド−ｂ−アクリル酸）、ポリ（エチレンオキシド−ｂ−アクリルアミド）、ポリ（エチレンオキシド−ｂ−ブチレンオキシド）、ポリ（エチレンオキシド−ｂ−ｃ−カプロラクトン）、ポリ（エチレンオキシド−ｂ−ラクチド）、ポリ（エチレンオキシド−ｂ−ラクチド）、ポリ（エチレンオキシド−ｂ−メタクリル酸）、ポリ（エチレンオキシド−ｂ−アクリル酸メチル）、ポリ（エチレンオキシド−ｂ−Ｎ−イソプロピルアクリルアミド）、ポリ（エチレンオキシド−ｂ−メタクリル酸メチル）、ポリ（エチレンオキシド−ｂ−メタクリル酸ニトロベンジル）、ポリ（エチレンオキシド−ｂ−Ｎ，Ｎ−ジメチルアミノエチルメタクリレート）、ポリ（エチレンオキシド−ｂ−プロピレンオキシド）、ポリ（エチレンオキシド−ｂ−アクリル酸ｔ−ブチル）、ポリ（エチレンオキシド−ｂ−メタクリル酸ｔ−ブチル）、ポリ（エチレンオキシド−ｂ−メタクリル酸テトラヒドロフルフリル）、ポリ（エチレンオキシド−ｂ−２−エチルオキサゾリン）、ポリ（エチレンオキシド−ｂ−メタクリル酸２−ヒドロキシエチル）、ポリ（エチレンオキシド−ｂ−２−メチルオキサゾリン）、ポリ（イソブチレン−ｂ−アクリル酸）、ポリ（イソブチレン−ｂ−エチレンオキシド）、ポリ（イソブチレン−ｂ−メタクリル酸）、ポリ（スチレン−ｂ−アクリルアミド）、ポリ（スチレン−ｂ−アクリル酸）、ポリ（スチレン−ｂ−アクリル酸セシウム）、ポリ（スチレン−ｂ−エチレンオキシド）、ブロック接合部で切断可能なポリ（スチレン−ｂ−エチレンオキシド）酸、ポリ（スチレン−ｂ−メタクリル酸）、ポリ（４−スチレンスルホン酸−ｂ−エチレンオキシド）、ポリ（スチレンスルホン酸−ｂ−���チルブチレン）、ポリ（スチレン−ｂ−Ｎ，Ｎ−ジメチルアクリルアミド）、ポリ（スチレン−ｂ−Ｎ−イソプロピルアクリルアミド）、ポリ（スチレン−ｂ−Ｎ−メチル２−ビニルピリジニウムヨージド）、ポリ（スチレン−ｂ−Ｎ−メチル−４−ビニルピリジニウムヨージド）、ポリ（スチレン−ｂ−プロピルアクリル酸）、ポリ（スチレン−ｂ−アクリル酸ナトリウム）ポリ（スチレン−ｂ−メタクリル酸ナトリウム）、ポリｐ−クロロメチルスチレン−ｂ−アクリルアミド）、ポリ（スチレン−コ−ｐ−クロロメチルスチレン−ｂ−アクリルアミド）、ポリ（スチレン−コ−ｐ−クロロメチルスチレン−ｂ−アクリル酸）、ポリ（スチレン−ｂ−メチルブチレン−コ−イソプレンスルホン酸）、ポリ（ジメチルシロキサン−ｂ−アクリル酸）、ポリ（ジメチルシロキサン−ｂ−エチレンオキシド）、ポリ（ジメチルシロキサン−ｂ−メタクリル酸）、ポリ（フェロセニルジメチルシラン−ｂ−エチレンオキシド）、ポリ（２−ビニルナフタレン−ｂ−アクリル酸）、ポリ（２−ビニルピリジン−ｂ−エチレンオキシド）、ポリ（２−ビニルピリジン−ｂ−メチルアクリル酸）、ポリ（Ｎ−メチル２−ビニルピリジニウムヨージド−ｂ−エチレンオキシド）、ポリ（Ｎ−メチル  ４−ビニルピリジニウムヨージド−ｂ−メタクリル酸メチル）、ポリ（４−ビニルピリジン−ｂ−エチレンオキシド）、ポリ（ビニルピロリドン−ｂ−Ｄ／Ｌ−ラクチド）、ＰＤＨＦ、ＰＦＯ、ＰＦＰＶ、ＰＦＢＴ、ＰＦＴＢＴ、ＭＥＨ−ＰＰＶ、ＣＮ−ＰＰＶ、ＰＰＥまたはこれらの組合せから選択されるポリマーを含むものである、項目３１〜３８のいずれか１項に記載のキット。
（項目４０）
前記ポリマードットが高分子電解質コーティングに囲まれている、項目３１〜３９のいずれか１項に記載のキット。
（項目４１）
前記高分子電解質コーティングが、ポリ（スチレンスルホネート）、ポリホスフェート、ポリアクリレート、ポリメタクリレート、ポリアクリレート−コ−マレエート、ポリアクリルアミド、キトサン、多糖、ポリリシン、ポリヒスチジンおよびポリペプチドからなる群より選択される高分子電解質を含むものである、項目４０に記載のキット。
（項目４２）
前記高分子電解質コーティングが高分子電解質ポリマーを含むものであり、該高分子電解質ポリマーの各反復単位が、カルボキシル、スルホネート、ホスフェート、アミノ、ヒドロキシルおよびメルカプトからなる群より選択される荷電基を含むものである、項目４０に記載のキット。
（項目４３）
前記ポリマードットが、前記ポリマードットに結合した官能基を含むものである、項目３１〜４２のいずれか１項に記載のキット。
（項目４４）
前記官能基が、疎水性官能基、親水性官能基またはこれらの組合せから選択される、項目４３に記載のキット。
（項目４５）
前記官能基がバイオコンジュゲーションに適したものである、項目４３〜４４のいずれか１項に記載のキット。
（項目４６）
前記官能基が、アルデヒド、アルケン、アルキル、アルキン、歪みアルキン、アミノ、アジド、カルボニル、カルボキシル、シアノ、シクロオクチン、ジエノ、エステル、スクシンイミジルエステル、ハロアルキル、ヒドロキシル、イミド、ケトン、マレイミド、メルカプト、ホスフェート、ホスフィン、スルフェート、スルホネートまたはこれらの組合せから選択される、項目４３〜４５のいずれか１項に記載のキット。
（項目４７）
前記コンジュゲーション生体分子を前記ポリマードットにコンジュゲートさせる、項目３３〜４６のいずれか１項に記載のキット。
（項目４８）
前記生体分子がタンパク質である、項目３１〜４７のいずれか１項に記載のキット。
（項目４９）
前記生体分子が抗体またはアビジンである、項目４８に記載のキット。
（項目５０）
前記ブロッキング剤が前記コンジュゲート化したポリマードットの非特異的吸着特性を改変するものである、または前記ブロッキング剤が前記ポリマードットの非特異的吸着特性を改変するものである、項目３１〜４９のいずれか１項に記載のキット。
（項目５１）
前記ブロッキング剤が前記ポリマードットと、表面上または膜上への吸着に関して競合する、項目３１〜５０のいずれか１項に記載のキット。
（項目５２）
前記ブロッキング剤が前記ポリマードットと、１種類以上の生体分子の結合に関して競合する、項目３１〜５１のいずれか１項に記載のキット。
（項目５３）
さらに、前記ポリマードットを前記生体分子にコンジュゲートさせるための試薬を含む、項目３３〜５２のいずれか１項に記載のキット。
（項目５４）
さらに、ニトロセルロース膜またはフルオロポリマー膜から選択される膜を含む、項目３１〜５３のいずれか１項に記載のキット。
（項目５５）
前記フルオロポリマーがＰＶＤＦである、項目５４に記載のキット。
（項目５６）
さらにＰＥＧ、ＥＤＬまたはこれらの組合せを含む、項目３１〜５５のいずれか１項に記載のキット。
（項目５７）
生体分子にコンジュゲートさせたポリマードット；
タンパク質またはペプチド分離プラットフォーム；
電磁放射線源；
検出器；および
実行可能命令が格納されたメモリデバイスを備えたコンピュータであって、該命令は、プロセッサによって実行される場合、該プロセッサに：
該検出器を動作させて画像を取得すること、
該画像を格納すること、および
該画像を解析すること
をさせる、コンピュータ
を備えた、タンパク質またはペプチドをアッセイするためのシステム。
（項目５８）
前記タンパク質またはペプチド分離プラットフォームがゲル分離プラットフォームまたはキャピラリー電気泳動分離プラットフォームを含む、項目５７に記載のシステム。
（項目５９）
生体分子にコンジュゲートさせたポリマードット；
ゲル；
電気泳動プラットフォーム；
電磁放射線源；
検出器；および
実行可能命令が格納されたメモリデバイスを備えたコンピュータであって、該命令は、プロセッサによって実行される場合、該プロセッサに：
該検出器を動作させて画像を取得すること、
該画像を格納すること、および
該画像を解析すること
をさせる、コンピュータ
を備えた、ウェスタンブロット解析を行なうためのシステム。
（項目６０）
前記ゲルがポリアクリルアミドゲルを含む、項目５９に記載のシステム。
（項目６１）
前記膜がニトロセルロースまたはフルオロポリマーを含むものである、項目５７〜５８のいずれか１項に記載のシステム。
（項目６２）
前記フルオロポリマーがＰＶＤＦである、項目６１に記載のシステム。
（項目６３）
前記電磁放射線源がレーザー、ランプ、ＬＥＤまたはこれらの組合せを含む、項目５７〜６２のいずれか１項に記載のシステム。
（項目６４）
さらに、スペクトルフィルター、マルチクロイックミラーまたはこれらの組合せを備えた、項目５７〜６３のいずれか１項に記載のシステム。
（項目６５）
前記検出器がゲルイメージング装置を備えている、項目５７〜６４のいずれか１項に記載のシステム。
（項目６６）
前記検出器が顕微鏡を備えている、項目６５〜６５のいずれか１項に記載のシステム。
（項目６７）
前記検出器がカメラを備えている、項目５７〜６６のいずれか１項に記載のシステム。